(57)【特許請求の範囲】
【請求項１】
土台としての主枠に支持固定され、踏段の両側に立設された欄干パネルと、前記踏段の側面に隙間を介して対向して設けられた板状のスカートガードと、前記スカートガードの上縁部に設けられ、前記踏段側を照らす照明体と、一方の縁部が前記欄干パネルに接続され、他方の縁部が前記照明体に接続されて、前記照明体の上方で前記照明体を覆うように設けられた内デッキとを備えたエスカレータ装置であって、
前記照明体は、発光して周囲を照らす照明灯と、前記照明灯が内部に設けられ、前記踏段側に開放部を有する照明ケースと、前記開放部に設けられた透光性の照明カバーとを有し、
前記照明ケースは、前記主枠に固定されるとともに、前記内デッキ及び前記スカートガードを支持するようになっていることを特徴とするエスカレータ装置。
【請求項２】
前記スカートガードには、前記スカートガードの上部と対向する挟み板が設けられており、
前記照明カバーは、上縁部が前記照明ケース及び前記内デッキに狭持され、下縁部が前記スカートガードの上部及び前記挟み板に狭持されるようになっていることを特徴とする請求項１に記載のエスカレータ装置。
【請求項３】
前記照明カバーは、上縁部が前記照明ケース及び前記内デッキに狭持され、下縁部が前記照明ケース及び前記スカートガードに狭持されるようになっていることを特徴とする請求項１に記載のエスカレータ装置。
【請求項４】
前記内デッキは、前記踏段が移動する方向に沿って複数の内デッキ単体が連結されて構成されており、
前記内デッキのつなぎ目の位置にあたる前記照明カバーの上縁部を跨ぐように不透光性のテープが貼り付けられていることを特徴とする請求項１乃至請求項３の何れかに記載のエスカレータ装置。
【請求項５】
前記照明カバーは、表面がサンドブラスト加工されていることを特徴とする請求項１乃至請求項４何れかに記載のエスカレータ装置。
【請求項６】
前記照明灯は、前記照明ケースに固定された透明の照明灯ホルダに保持されていることを特徴とする請求項１乃至請求項５の何れかに記載のエスカレータ装置。
【請求項７】
前記照明灯は、前記照明カバーに対して背面に反射体が設けられていることを特徴とする請求項１乃至請求項６の何れかに記載のエスカレータ装置。
【請求項８】
前記照明ケースは、長手方向に間隔を置いて穴部が設けられていることを特徴とする請求項１乃至請求項７の何れかに記載のエスカレータ装置。
【請求項９】
前記照明体は、前記照明ケースの外面に設けられ、前記照明灯に接続された安定器を有しており、
前記安定器は、この安定器が接続された前記照明灯と前記照明ケースの長手方向でほぼ同一の位置に設けられていることを特徴とする請求項１乃至請求項８の何れかに記載のエスカレータ装置。
【発明の詳細な説明】
【０００１】
【発明の属する技術分野】
この発明は、人あるいは物を移動させるエスカレータ装置に関するものである。
【０００２】
【従来の技術】
図７は、従来のエスカレータ装置の構成を示す要部断面図である。図７において、エスカレータ装置１０１は、踏段１０２の両側に立設された欄干パネル１０３と、踏段１０２の側面に隙間を介して対向して設けられた板状のスカートガード１０４と、このスカートガード１０４の上縁部１０４ａに設けられ、踏段１０２側を照らす照明体１０５と、一方の縁部が欄干パネル１０３に接続され、他方の縁部が照明体１０５に接続されて、照明体１０５の上方で照明体１０５を覆うように設けられた内デッキ１０６とを備えている。また、エスカレータ装置１０１は、踏段１０２の移動方向にほぼ平行に配置された断面略Ｃ形の固定支持部材１０７を備えており、この固定支持部材１０７は、スカートガード１０４の踏段１０２側に対して反対の面に固定され、スカートガード１０４とほぼ平行に鉛直方向に配置された断面Ｌ字形の支持ブラケット１０８とともにエスカレータ装置１０１の主構造体の主枠（図示しない）にねじ結合支持手段１０９を介して固定されている。
【０００３】
照明体１０５は、蛍光灯等の照明灯１１０と、この照明灯１１０を内部に固定された照明灯ホルダ１１３によって保持するとともに踏段１０２の移動方向に配置された照明ケース１１１と、照明ケース１１１の踏段１０２側に設けられた照明カバー１１２とを有している。照明ケース１１１は、スカートガード１０４にねじ結合部品１１４によって固定されるとともに支持ブラケット１０８にもねじ結合締着部品１１５によって固定されている。また、照明ケース１１１は、上部に欄干パネル１０３を支えるパネル支持部１１１ａを有している。なお、照明ケース１１１は、長手方向に複数の照明ケース単体が連結されて構成されており、そのつなぎ目部分に結合部材１１８が設けられることにより互いに接続されている。
【０００４】
内デッキ１０６は、照明ケース１１１の上部に皿ねじ１１６によって締め付けられて固定されている。この内デッキ１０６及び照明カバー１１２の踏段１０２側の面は段差がなくなるように仕上げられている。
【０００５】
欄干パネル１０３は、パネル支持部１１１ａに支持されており、支持ブラケット１０８と欄干パネル１０３との間に挿入されたばね部品１１７の弾性反発力によって内デッキ１０６とばね部品１１７とに挟まれ保持されている。
【０００６】
従って、主枠にねじ結合支持手段１０９を介して固定された固定支持部材１０７及び支持ブラケット１０８によってスカートガード１０４、照明体１０５、内デッキ１０６及び欄干パネル１０３が支持されている。
【０００７】
【発明が解決しようとする課題】
しかしながら、スカートガード１０４、照明体１０５、内デッキ１０６及び欄干パネル１０３を支持するために固定支持部材１０７及び支持ブラケット１０８といった部材が必要となり、部品点数が多くなり、このように部品点数が多くなると構造が複雑になるという問題点があった。
【０００８】
そこでこの発明は、上記のような問題点を解決することを課題とするもので、部品点数が少なく構造が簡単なエスカレータ装置を得ることを目的とする。
【０００９】
【課題を解決するための手段】
この発明に係るエスカレータ装置は、土台としての主枠に支持固定され、踏段の両側に立設された欄干パネルと、前記踏段の側面に隙間を介して対向して設けられた板状のスカートガードと、前記スカートガードの上縁部に設けられ、前記踏段側を照らす照明体と、一方の縁部が前記欄干パネルに接続され、他方の縁部が前記照明体に接続されて、前記照明体の上方で前記照明体を覆うように設けられた内デッキとを備えたエスカレータ装置であって、前記照明体は、発光して周囲を照らす照明灯と、前記照明灯が内部に設けられ、前記踏段側に開放部を有する照明ケースと、前記開放部に設けられた透光性の照明カバーとを有し、前記照明ケースは、前記主枠に固定されるとともに、前記内デッキ及び前記スカートガードを支持するようになっている。
【００１０】
また、前記スカートガードには、前記スカートガードの上部と対向する挟み板が設けられており、前記照明カバーは、上縁部が前記照明ケース及び前記内デッキに狭持され、下縁部が前記スカートガードの上部及び前記挟み板に狭持されるようになっている。
【００１１】
また、前記照明カバーは、上縁部が前記照明ケース及び前記内デッキに狭持され、下縁部が前記照明ケース及び前記スカートガードに狭持されるようになっている。
【００１２】
また、前記内デッキは、前記踏段が移動する方向に沿って複数の内デッキ単体が連結されて構成されており、前記内デッキのつなぎ目の位置にあたる前記照明カバーの上縁部を跨ぐように不透光性のテープが貼り付けられている。
【００１３】
また、前記照明カバーは、表面がサンドブラスト加工されている。
【００１４】
また、前記照明灯は、前記照明ケースに固定された透明の照明灯ホルダに保持されている。
【００１５】
また、前記照明灯は、前記照明カバーに対して背面に反射体が設けられている。
【００１６】
また、前記照明ケースは、長手方向に間隔を置いて穴部が設けられている。
【００１７】
また、前記照明体は、前記照明ケースの外面に設けられ、前記照明灯に接続された安定器を有しており、前記安定器は、この安定器が接続された前記照明灯と前記照明ケースの長手方向でほぼ同一の位置に設けられている。
【００１８】
【発明の実施の形態】
実施の形態１．
図１は、この発明の実施の形態１に係るエスカレータ装置の全体斜視図である。図１において、エスカレータ装置１は、例えば人あるいは物が乗って移動する踏段２と、この踏段２の両側に立設された欄干パネル３と、欄干パネル３の周縁を踏段２と同期して移動する移動手摺４とを備えている。
【００１９】
図２は、図１のＩＩ−ＩＩ線に沿った矢視断面図である。図２において、エスカレータ装置１は、さらに、踏段２の側面に隙間を介して対向して設けられた板状のスカートガード５と、スカートガード５の上縁部に設けられ、踏段２側を照らす照明体６と、一方の縁部が欄干パネル３に接続され、他方の縁部が照明体６に接続されて、照明体６の上方でこの照明体６を覆うように設けられた内デッキ７とを備えている。
【００２０】
欄干パネル３は、例えば透明なガラスパネルで、エスカレータ装置１の骨組みの主構造体である主枠８に支持固定されている。また、欄干パネル３の下部には飾り縁９が設けられており、内デッキ７が係合されるようになっている。
【００２１】
図３は、図１のＩＩＩ−ＩＩＩ線に沿った矢視側面図である。図２及び図３において、照明体６は、例えば蛍光灯のような発光して周囲を照らす照明灯１０と、この照明灯１０が内部に設けられ、踏段２側に開放部１１ａを有する照明ケース１１と、開放部１１ａに設けられた透光性の照明カバー１２とを有している。これら照明灯１０、照明ケース１１及び照明カバー１２は、踏段２の移動方向に沿って配置されている。
【００２２】
照明ケース１１は、断面コ字状のケース本体１８と、このケース本体１８の上縁に取付片１９とを有しており、このケース本体１８の下部が欄干パネル３が支持されている主枠８に支持ボルト１３及び支持ナット１４によって締着され支持固定されている。ケース本体１８は、この照明ケース１１の長手方向に複数の長穴１８ａが設けられており、この長穴１８ａの適当箇所に弾性を有する樹脂製の照明灯ホルダ１５が取付ボルト１６及び取付ナット１７によって取り付けられている。この照明灯ホルダ１５は透明となっており、照明灯１０が安定的に保持されるように１灯当たり例えば２つ程度用いられる。また、取付片１９には、内デッキ７を取り付けるためのねじ穴１９ａが設けられ、ケース本体１８の下部には、スカートガード５を取り付けるためのボルト穴１８ｂが設けられている。さらに、ケース本体１８の上部外面には、安定器取付ねじ２０によって安定器２１が取り付けられており、この安定器２１は、図６に示すように、照明灯１０の位置に対応させた位置に取り付けられている。なお、図示しない機械室から電源線２２によって各安定器２１に電力供給され、照明灯１０を点灯させる。
【００２３】
照明灯１０は、照明ケース１１の長手方向に沿って複数設けられており、できるだけ照明灯１０の端部が互いに接近するように配置されている。また、照明灯１０は、照明カバー１２に対して背面にアルミ箔等の反射体２３が貼り付けられている。
【００２４】
照明カバー１２は、例えば樹脂製で透光性を有した平板状部材であり、この照明カバー１２の上辺部には、内デッキ７が接触する上部段差部１２ａが設けられ、下辺部には、スカートガード５が接触する下部段差部１２ｂが設けられている。また、照明カバー１２は、照明ケース１１の長手方向に複数の照明カバー単体が並べられて構成されており、各照明カバー単体の間に隙間ができないようになっている。
【００２５】
スカートガード５の照明ケース１１側には、例えば溶接により挟み板２４が固定されており、この挟み板２４の上部は挟み部２４ａとしてスカートガード５の上部と隙間を介して対向し、挟み板２４の下部はスカートガード５に垂直な固定部２４ｂとしてケース本体１８に固定されている。挟み部２４ａとスカートガード５の上部との隙間には、照明カバー１２の下部段差部１２ｂが挿入されて照明カバー１２が保持されている。また、固定部２４ｂには、貫通孔２５が設けられており、固定ボルト２６が貫通孔２５を貫通してケース本体１８のボルト穴１８ｂに螺着されることにより、挟み板２４はケース本体１１に締着支持されている。
【００２６】
内デッキ７は、一方の縁部で飾り縁９に係合するように折り曲げられた係合部７ｂを有し、他方の縁部で照明カバー１２の上部段差部１２ａに接触するデッキ挟み部２８を有している。また、内デッキ７には、デッキ挟み部２８の近傍に皿ねじ２７の頭部が埋め込まれるように窪んだねじ貫通孔２９が設けられている。このねじ貫通孔２９に皿ねじ２７が貫通され取付片１９のねじ穴１９ａに螺着されることにより、内デッキ７は取付片１９に締着固定されている。この締着固定された状態で、デッキ挟み部２８と取付片１９との間に照明カバー１２の上部段差部１２ａが挿入されて、照明カバー１２が保持されている。さらに、内デッキ７は、照明ケース１１の長手方向に複数の内デッキ単体７ａが並べられて構成されており、それぞれの内デッキ単体７ａ間のつなぎ目３０にできるだけ隙間ができないように間隔をあけずに並べられている。
【００２７】
従って、照明カバー１２は、下部段差部１２ｂでスカートガード５の上部及び挟み板２４の挟み部２４ａによって保持され、上部段差部１２ａで照明ケース１１の取付片１９及び内デッキ７のデッキ挟み部２８によって保持されているので、外れることはない。しかも、皿ねじ２７を取り外すだけで内デッキ７を容易に取り外せ、その後、照明カバー１２も上方に引き抜いて容易に取り外すことができる。
【００２８】
このような構成のエスカレータ装置１は、照明ケース１１が主枠８に固定され、この照明ケース１１がスカートガード５及び内デッキ７を支持しているので、従来例のような支持ブラケット１０８あるいは固定支持部材１０７といったスカートガード及び内デッキ等を支持するための部材を照明ケース１１が兼用し、部品点数を少なくすることができる。その結果、構造が簡単になり、装置自体のコストが低減し、安定性、信頼性も向上する。
【００２９】
また、照明灯ホルダ１５が透明で、照明灯１０に反射体２３が貼り付けられているので、踏段２側をより明るく照らし、照明灯ホルダ１５の影が照明カバー１２あるいは踏段２に写ることもなく、より美感が良くなる。
【００３０】
また、安定器２１は、照明灯１０に対応した位置に設けられているので、安定器２１及び照明灯１０の間の結線が容易となり、保守時に取り換えるべき安定器２１を各照明灯１０の位置で容易に判断でき、内デッキ７を取り外せば容易に安定器２１を交換できる。
【００３１】
また、照明ケース１１に設けられた複数の長穴１８ａにより、照明灯ホルダ１５の位置を変更でき、安定器２１から照明灯１０に導線を通すことにより電気的に接続でき、熱を外部に放散して照明灯１０の発熱等による照明ケース内の温度上昇を防止できる。
【００３２】
なお、照明カバー１２の表面がサンドブラスト加工されていてもよい。この加工を施したことにより、照明灯１０からの光が拡散し、照明灯１０のラインが強調されないので、各照明灯１０間の暗部も目立ちにくくなり、美感が良くなる。
【００３３】
実施の形態２．
図４は、この発明の実施の形態２に係るエスカレータ装置の構成を示す要部断面図である。図４において、照明ケース１１は、ケース本体１８の下部にスカートガード取付片４１を有し、スカートガード取付片４１には、例えば溶接により踏段２側にスペーサ４３が固定されており、スカートガード５を取り付けるためのねじ穴４１ａがスカートガード取付片４１及びスペーサ４３に設けられている。スカートガード５は、上部にねじ貫通孔５ａを有しており、このねじ貫通孔５ａは、皿ねじ４２の頭部がスカートガード５の踏段２側に突出しないようにこの皿ねじ４２の頭部の形状に合わせた内周面となっている。皿ねじ４２がねじ貫通孔５ａを貫通してねじ穴４１ａに螺着されることにより、スカートガード５がスカートガード取付片４１にスペーサ４３の厚さだけ隙間をあけて締結固定されている。このスカートガード５とスカートガード取付片４１との間に照明カバー１２の下部段差部１２ｂが挿入され、照明カバー１２が保持されている。他の構成は実施の形態１と同様である。
【００３４】
従って、照明カバー１２の下部段差部１２ｂの厚さに対応した厚さのスペーサ４３を用いることにより、スカートガード取付片４１及びスカートガード５と下部段差部１２ｂとの間に隙間がなくなり、照明カバー１２を安定的に保持することができる。
【００３５】
なお、上記各実施の形態において、照明灯１０の光が照明カバー１２を通って内デッキ単体７ａ同士のつなぎ目３０から漏れ出て、特に内デッキのデッキ挟み部２８の近傍のつなぎ目３０から漏れ出て、エスカレータ装置１全体の美感を損ねる虞があるので、図５に示すように、このつなぎ目３０に当たる上部段差部１２ａの表面の位置を跨ぐように不透光性のテープ４４を貼り付けてもよい。
【００３６】
【発明の効果】
以上の説明から明らかな通り、この発明によれば、この発明に係るエスカレータ装置は、土台としての主枠に支持固定され、踏段の両側に立設された欄干パネルと、前記踏段の側面に隙間を介して対向して設けられた板状のスカートガードと、前記スカートガードの上縁部に設けられ、前記踏段側を照らす照明体と、一方の縁部が前記欄干パネルに接続され、他方の縁部が前記照明体に接続されて、前記照明体の上方で前記照明体を覆うように設けられた内デッキとを備えたエスカレータ装置であって、前記照明体は、発光して周囲を照らす照明灯と、前記照明灯が内部に設けられ、前記踏段側に開放部を有する照明ケースと、前記開放部に設けられた透光性の照明カバーとを有し、前記照明ケースは、前記主枠に固定されるとともに、前記内デッキ及び前記スカートガードを支持するようになっているので、前記照明ケースが前記内デッキ及び前記スカートガードの支持部材を兼用し、従来必要とした支持部材を無くして部品点数を少なくし、簡単な構造とすることができる。
【００３７】
また、前記スカートガードには、前記スカートガードの上部と対向する挟み板が設けられており、前記照明カバーは、上縁部が前記照明ケース及び前記内デッキに狭持され、下縁部が前記スカートガードの上部及び前記挟み板に狭持されるようになっているので、容易に前記照明カバーを保持でき、取り外しも容易となる。
【００３８】
また、前記照明カバーは、上縁部が前記照明ケース及び前記内デッキに狭持され、下縁部が前記照明ケース及び前記スカートガードに狭持されるようになっているので、容易に前記照明カバーを保持でき、取り外しも容易となる。
【００３９】
また、前記内デッキは、前記踏段が移動する方向に沿って複数の内デッキ単体が連結されて構成されており、前記内デッキのつなぎ目の位置にあたる前記照明カバーの上縁部を跨ぐように不透光性のテープが貼り付けられているので、前記つなぎ目から漏れ出る光を確実に遮断し、装置全体の美感を損なうことがなくなる。
【００４０】
また、前記照明カバーは、表面がサンドブラスト加工されているので、光が拡散し、前記照明灯のラインあるいは各前記照明灯の間の暗部を目立ちにくくすることができる。
【００４１】
また、前記照明灯は、前記照明ケースに固定された透明の照明灯ホルダに保持されているので、前記照明灯ホルダの影が前記踏段側に写らず、装置全体の美感が良くなる。
【００４２】
また、前記照明灯は、前記照明カバーに対して背面に反射体が設けられているので、より前記照明カバー側に光を照射できる。
【００４３】
また、前記照明ケースは、長手方向に間隔を置いて穴部が設けられているので、前記照明灯ホルダの取付けや安定器から前記照明灯への配線の他に、前記照明灯などから発生する熱を前記穴部から放散することができる。
【００４４】
また、前記照明体は、前記照明ケースの外面に設けられ、前記照明灯に接続された安定器を有しており、前記安定器は、この安定器が接続された前記照明灯と前記照明ケースの長手方向でほぼ同一の位置に設けられているので、保守時に取り換えるべき前記安定器を前記照明灯の位置から判断でき、容易に前記安定器を取り換えることができる。
【図面の簡単な説明】
【図１】  この発明の実施の形態１に係るエスカレータ装置の全体斜視図である。
【図２】  図１のＩＩ−ＩＩ線に沿った矢視断面図である。
【図３】  図１のＩＩＩ−ＩＩＩ線に沿った矢視側面図である。
【図４】  この発明の実施の形態２に係るエスカレータ装置の構成を示す要部断面図である。
【図５】  照明カバーに不透光性テープを貼り付けた状態を示す斜視図である。
【図６】  照明灯及び安定器の配置及び結線を示す模式図である。
【図７】  従来のエスカレータ装置の構成を示す要部断面図である。
【符号の説明】
１  エスカレータ装置、２  踏段、３欄干パネル、５  スカートガード、６  照明体、７  内デッキ、７ａ  内デッキ単体、８  主枠、１０  照明灯、１１  照明ケース、１２  照明カバー、１５  照明灯ホルダ、２１  安定器、２３  反射体、２４  挟み板、３０  つなぎ目（内デッキ）、４４  不透光性テープ。
【図１】
0004757407.tif 000002
【図２】
0004757407.tif 000003
【図３】
0004757407.tif 000004
【図４】
0004757407.tif 000005
【図５】
0004757407.tif 000006
【図６】
0004757407.tif 000007
【図７】
0004757407.tif 000008